Podtech/llm-jp-corpus-v4-ja_patent huggingface dataset:
【手続補正書】
【提出日】平成19年6月11日(2007.6.11)
【手続補正１】
【補正対象書類名】明細書
【補正対象項目名】請求項１
【補正方法】変更
【補正の内容】
【請求項１】  互いに対向して配される一対の基板間に液晶層を有する液晶素子に、該液晶層の厚さを一定に保つために配置された樹脂製の液晶パネル用スペーサーにおいて、
該液晶パネル用スペーサーが有機顔料及びアゾ色素骨格を有する分散剤を含有することを特徴とする液晶パネル用スペーサー。
【手続補正２】
【補正対象書類名】明細書
【補正対象項目名】請求項８
【補正方法】変更
【補正の内容】
【請求項８】  前記樹脂が酸性基を有するポリマーであることを特徴とする請求項７に記載の液晶パネル用スペーサー。
【手続補正３】
【補正対象書類名】明細書
【補正対象項目名】請求項９
【補正方法】変更
【補正の内容】
【請求項９】 前記有機顔料がアゾ色素骨格を有することを特徴とする請求項１から８のいずれか１項に記載の液晶パネル用スペーサー。
【手続補正４】
【補正対象書類名】明細書
【補正対象項目名】請求項１０
【補正方法】変更
【補正の内容】
【請求項１０】  前記分散剤が下記一般式（Ｉ）で表される化合物であることを特徴とする請求項１から９のいずれか１項に記載の液晶パネル用スペーサー。
【化１】
2003049086.tif 000001
（一般式（Ｉ）中、Ａは、Ｘ−Ｙとともにアゾ色素を形成しうる成分を表す。Ｘは、単結合、又は下記構造式で表される二価の連結基から選択される基を表す。Ｙは、下記一般式(II)で表される基を表す。）
【化２】
2003049086.tif 000002
【化３】
2003049086.tif 000003
（一般式(II)中、Ｚは、低級アルキレン基を表す。−ＮＲ2は、低級アルキルアミノ基、又は窒素原子を含む５乃至６員飽和ヘテロ環を表す。ａは、１又は２を表す。）
【手続補正５】
【補正対象書類名】明細書
【補正対象項目名】０００６
【補正方法】変更
【補正の内容】
【０００６】
【課題を解決するための手段】
＜１＞  互いに対向して配される一対の基板間に液晶層を有する液晶素子に、該液晶層の厚さを一定に保つために配置された樹脂製の液晶パネル用スペーサーにおいて、該液晶パネル用スペーサーが有機顔料及びアゾ色素骨格を有する分散剤を含有することを特徴とする液晶パネル用スペーサーである。
＜２＞  前記液晶パネル用スペーサーがフォトリソグラフィーによって形成されていることを特徴とする前記＜１＞に記載の液晶パネル用スペーサーである。
＜３＞  前記液晶パネル用スペーサーが転写型フィルムを用いて形成されていることを特徴とする前記＜１＞または＜２＞に記載の液晶パネル用スペーサーである。
＜４＞  前記転写型フィルムが、仮支持体上に、アルカリ可溶な熱可塑性樹脂層、中間層、感光性樹脂層をこの順に設けてなることを特徴とする前記＜３＞に記載の液晶パネル用スペーサーである。
＜５＞  前記有機顔料が、Ｃ．Ｉ．ピグメント・レッド１７７、Ｃ．Ｉ．ピグメント・レッド２５４、Ｃ．Ｉ．ピグメント・グリーン３６、Ｃ．Ｉ．ピグメント・ブルー１５、Ｃ．Ｉ．ピグメント・イエロー１３９、Ｃ．Ｉ．ピグメント・イエロー１３８、Ｃ．Ｉ．ピグメント・バイオレット２３、及びＣ．Ｉ．ピグメント・ブラック７からなる群より選択される少なくとも１種であることを特徴とする前記＜１＞から＜４＞のいずれかに記載の液晶パネル用スペーサーである。
＜６＞  前記有機顔料の平均粒径が０．０１〜０．５μｍであることを特徴とする前記＜１＞から＜５＞のいずれかに記載の液晶パネル用スペーサーである。
＜７＞  前記有機顔料が樹脂に分散されていることを特徴とする前記＜１＞から＜６＞のいずれかに記載の液晶パネル用スペーサーである。
＜８＞  前記樹脂が酸性基を有するポリマーであることを特徴とする前記＜７＞に記載の液晶パネル用スペーサーである。
＜９＞    前記有機顔料がアゾ色素骨格を有することを特徴とする前記＜１＞から＜８＞のいずれかに記載の液晶パネル用スペーサーである。
＜１０＞  前記分散剤が下記一般式（Ｉ）で表される化合物であることを特徴とする請求項１から９のいずれか１項に記載の液晶パネル用スペーサーである。
【手続補正書】
【提出日】平成18年12月8日(2006.12.8)
【手続補正１】
【補正対象書類名】明細書
【補正対象項目名】００１７
【補正方法】変更
【補正の内容】
【００１７】
又、支持板１３、１３をケーシング５に対し固定する構造の場合には、各パワーローラ９、９毎に、僅かとは言え変速比が異なる可能性もある。この理由は、次の通りである。上記支持板１３、１３を固定する構造の場合には、小型・軽量化の為の設計の自由度が向上する代わりに、支持板１３、１３の揺動変位により各枢軸６、６の軸方向に関する各トラニオン７、７の変位を同期させる機能を得る事はできない。これら各トラニオン７、７の変位を同期させるには、あくまでもアクチュエータ１９、１９（図１２参照）を互いに同期してストロークさせる必要がある。このストロークは、上記各アクチュエータ１９、１９への圧油の給排量を規制する事により同期させるが、これら各アクチュエータ１９、１９や上記各トラニオン７、７の変位に対する抵抗の相違により、微妙にずれる可能性がある。尚、この様なずれの原因となる抵抗のうち、上記各アクチュエータ１９、１９に関する抵抗としては、給油配管部分の流路抵抗やシールリングの摩擦抵抗が、上記各トラニオン７、７の支持部分に関する抵抗としては、枢軸６、６を支持している部分の軸受の抵抗（スキュー等に基づく）やこの枢軸６、６を含む上記各トラニオン７、７のアンバランス等が考えられる。
【手続補正２】
【補正対象書類名】明細書
【補正対象項目名】００２９
【補正方法】変更
【補正の内容】
【００２９】
更に、請求項３に記載した様に、各支持板をケーシング内に固定すると共に、各トラニオンを各ディスクの中心軸に対し直角方向に存在する仮想平面に対し傾斜させた構造を採用すれば、小型・軽量化を図り易い構造で、各パワーローラ或は第一、第二各パワーローラの傾斜角度に実用上問題となる程の差が生じる事を防止できる。この為、これら各パワーローラ或は第一、第二各パワーローラの周面と、第一ディスク及び第二ディスク或は第一、第二各外側ディスク及び第一、第二各内側ディスクの内側面との接触部に、著しい摩擦が生じる事を防止して、これら各面の耐久性向上を図れる。
【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】
複数の図柄を変動表示する変動表示手段と、
内部当選役を決定する内部当選役決定手段と、
前記変動表示手段の変動表示を停止させるための複数の操作手段と、
前記内部当選役決定手段の決定結果と前記操作手段の操作とに基づいて前記変動表示手段の変動表示動作を停止制御する停止制御手段と、
演出表示を行う表示手段と、
遊技者にとって有利な状況を発生させるか否かを決定する状況決定手段とを有する遊技機において、
前記状況決定手段は、前記内部当選役決定手段により決定された内部当選役に基づいて、段階を移行させるか否かを決定する段階移行手段を含み、該段階移行手段により移行された段階が所定の段階に達した場合に、前記有利な状況を発生させることを決定し、
前記表示手段は、前記段階移行手段により移行された段階を表示するとともに、前記状況決定手段が前記有利な状況を発生させた場合に、前記内部当選役決定手段により決定された内部当選役を入賞させるために必要な情報を表示することを特徴とする遊技機。
【請求項２】
前記内部当選役決定手段により決定された内部当選役を入賞させるために必要な情報は、前記複数の操作手段の操作順序を含むことを特徴とする請求項１に記載される遊技機。
【請求項３】
前記段階移行手段は、前記状況決定手段が前記有利な状況を発生させた場合に、最も低い段階に段階を移行させることを特徴とする請求項１又は２に記載される遊技機。
【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】装飾用ランプと表示用ランプがそれぞれ所定位置に設置された前側枠体を、遊技部が形成された遊技盤の前方に配置してなる遊技機において、
前記表示用ランプは、
異なる表示機能を有する複数の表示用ランプを設置する表示用ランプの設置部と、
該それぞれの表示用ランプの設置部を前方側から覆う表示用レンズ部材とで構成され、
前記表示用レンズ部材は、前記レンズ領域が、段部によって複数領域に区分されるとともに、それぞれ区分された領域に、前記それぞれの表示用ランプの設置部を対応させることを特徴とする遊技機。
【請求項２】前記複数の表示用ランプは、トラブル発生時に発光する異常表示ランプと、遊技状態を表示する遊技状態表示ランプを含み、
前記表示用ランプの設置部は、前記異常表示ランプを設置する異常表示ランプの設置部と、前記遊技状態表示ランプを設置する遊技状態表示ランプの設置部を含み、
前記レンズ領域は、前記段部により上方の領域と下方の領域に区分され、かつその上方の領域と下方の領域が奥行き方向にずれて構成され、
前記上方の領域に前記異常表示ランプの設置部を、前記下方の領域に前記遊技状態表示ランプの設置部をそれぞれ対応させることを特徴とする請求項１に記載の遊技機。
【請求項３】前記表示用レンズ部材は、その背面に所定のレンズカット加工が施されたことによるものであることを特徴とする請求項１又は２のいずれかに記載の遊技機。
【請求項４】装飾用ランプは、その背面に所定のレンズカット加工を施した装飾用レンズ部材を備え、
装飾用レンズ部材のレンズカット加工と、表示用レンズ部材のレンズカット加工は同一のレンズカット加工であることを特徴とする請求項３に記載の遊技機。
【請求項５】レンズカット加工が、隣接する複数の領域で互いに異なる態様とされていることを特徴とする請求項４に記載の遊技機。
【請求項６】表示用レンズ部材は、前記前側枠体の前面から前方に突出する形状に形成されると共に、前記設置部内からの可視光を透過して側方に照射する側面領域を備えたことを特徴とする請求項１乃至５のいずれかに記載の遊技機。
【請求項７】側面領域が、傾斜面を有することを特徴とする請求項６に記載の遊技機。
【請求項８】表示用レンズ部材が、前記可視光を透過して前方に照射する平面状の前面領域を備えてなることを特徴とする請求項６又は７のいずれかに記載の遊技機。
【手続補正２】
【補正対象書類名】明細書
【補正対象項目名】００１０
【補正方法】変更
【補正の内容】
【００１０】
【課題を解決するための手段】
上記課題を解決するため本発明の遊技機は、次のような技術的手段を講じた。
【手続補正３】
【補正対象書類名】明細書
【補正対象項目名】００１１
【補正方法】変更
【補正の内容】
【００１１】
装飾用ランプと表示用ランプがそれぞれ所定位置に設置された前側枠体を、遊技部が形成された遊技盤の前方に配置してなる遊技機において、前記表示用ランプは、異なる表示機能を有する複数の表示用ランプを設置する表示用ランプの設置部と、該それぞれの表示用ランプの設置部を前方側から覆う表示用レンズ部材とで構成され、前記表示用レンズ部材は、前記レンズ領域が、段部によって複数領域に区分されるとともに、それぞれ区分された領域に、前記それぞれの表示用ランプの設置部を対応させることを特徴とするものである。
【手続補正４】
【補正対象書類名】明細書
【補正対象項目名】００１２
【補正方法】変更
【補正の内容】
【００１２】
また、本発明の他の遊技機は、前記複数の表示用ランプは、トラブル発生時に発光する異常表示ランプと、遊技状態を表示する遊技状態表示ランプを含み、前記表示用ランプの設置部は、前記異常表示ランプを設置する異常表示ランプの設置部と、前記遊技状態表示ランプを設置する遊技状態表示ランプの設置部を含み、前記レンズ領域は、前記段部により上方の領域と下方の領域に区分され、かつその上方の領域と下方の領域が奥行き方向にずれて構成され、前記上方の領域に前記異常表示ランプの設置部を、前記下方の領域に前記遊技状態表示ランプの設置部をそれぞれ対応させることを特徴とするものである。
【手続補正５】
【補正対象書類名】明細書
【補正対象項目名】００１３
【補正方法】変更
【補正の内容】
【００１３】
前記表示用レンズ部材は、その背面に所定のレンズカット加工が施されたことによるものとすることができる。
【手続補正６】
【補正対象書類名】明細書
【補正対象項目名】００１４
【補正方法】変更
【補正の内容】
【００１４】
さらに、装飾用ランプは、その背面に所定のレンズカット加工を施した装飾用レンズ部材を備え、装飾用レンズ部材のレンズカット加工と、表示用レンズ部材のレンズカット加工は同一のレンズカット加工であるものとすることができる。
【手続補正７】
【補正対象書類名】明細書
【補正対象項目名】００１５
【補正方法】変更
【補正の内容】
【００１５】
レンズカット加工が、隣接する複数の領域で互いに異なる態様とされているものとすることができる。
【手続補正８】
【補正対象書類名】明細書
【補正対象項目名】００１６
【補正方法】変更
【補正の内容】
【００１６】
表示用レンズ部材は、前記前側枠体の前面から前方に突出する形状に形成されると共に、前記設置部内からの可視光を透過して側方に照射する側面領域を備えたものとすることができる。
【手続補正書】
【提出日】平成19年10月10日(2007.10.10)
【手続補正１】
【補正対象書類名】明細書
【補正対象項目名】請求項１６
【補正方法】変更
【補正の内容】
【請求項１６】
前記窒化硼素以外のセラミック原料として、酸化物、ホウ化物、窒化物、炭化物、けい化物、これらの複合化合物もしくはこれらと酸化物との複合化合物の一種以上を用いることを特徴とする請求項１４又は１５記載の複合セラミックス焼結体。
【手続補正書】
【提出日】平成18年12月25日(2006.12.25)
【手続補正１】
【補正対象書類名】特許請求の範囲
【補正対象項目名】請求項１
【補正方法】変更
【補正の内容】
【請求項１】
不飽和カルボン酸単位を0.1〜10質量％含有するポリオレフィン樹脂（A）、非ブロック型の多官能イソシアネート化合物（B）、および塩基性化合物（C）を含有し、前記不飽和カルボン酸単位の一部が塩基性化合物（C）により中和されていることを特徴とする水性コーティング剤。
【手続補正２】
【補正対象書類名】明細書
【補正対象項目名】０００８
【補正方法】変更
【補正の内容】
【０００８】
すなわち、本発明の要旨は以下のとおりである。
（１）不飽和カルボン酸単位を0.1〜10質量％含有するポリオレフィン樹脂（A）、非ブロック型の多官能イソシアネート化合物（B）、および塩基性化合物（C）を含有し、前記不飽和カルボン酸単位の一部が塩基性化合物（C）により中和されていることを特徴とする水性コーティング剤。
（２）塩基性化合物（C）の含有量がポリオレフィン樹脂（A）中のカルボキシル基に対して0.3〜1.5倍当量であることを特徴とする（１）記載の水性コーティング剤。
（３）非ブロック型の多官能イソシアネート化合物（B）の含有量が、ポリオレフィン樹脂（A）の固形分100質量部に対して0.5〜30質量部であることを特徴とする（１）または（２）記載の水性コーティング剤。
（４）ポリオレフィン樹脂（A）が、下記ポリオレフィン樹脂（a）および／または（b）であることを特徴とする（１）〜（３）のいずれかに記載の水性コーティング剤。
ポリオレフィン樹脂（a）：
不飽和カルボン酸単位（a1）を0.1〜5質量％、及びエチレン単位（a2）と（メタ）アクリル酸エステル単位（a3）を含有し、（a2）と（a3）の質量比（a2）/（a3）が60/40〜98/2であるポリオレフィン樹脂。
ポリオレフィン樹脂（b）：
不飽和カルボン酸単位（b1）を0.1〜10質量％、炭素数3〜6の不飽和炭化水素単位（b2）を50〜98質量％含有するポリオレフィン樹脂。
（５）界面活性剤を実質的に含有していないことを特徴とする（１）〜（４）のいずれかに記載の水性コーティング剤。
（６）（１）〜（５）のいずれかに記載の水性コーティング剤を含有する接着剤、塗料、プライマーまたはインキ。
（７）（１）〜（５）のいずれかに記載の水性コーティング剤から水性媒体を除去してなる接着層、プライマー層または被膜。
（８）基材、（７）記載のプライマー層、インク受容層をこの順で積層してなるインクジェット記録材。
（９）基材が合成紙または熱可塑性樹脂フィルムである（８）記載のインクジェット記録材。
【手続補正３】
【補正対象書類名】明細書
【補正対象項目名】００１０
【補正方法】変更
【補正の内容】
【００１０】
以下本発明を詳細に説明する。
本発明の水性コーティング剤は、不飽和カルボン酸単位を0.1〜10質量％含有するポリオレフィン樹脂（A）、非ブロック型の多官能イソシアネート化合物（B）および塩基性化合物（C)を水性媒体中に溶解または分散してなるものである。水性媒体は、水を主成分とする媒体であり、後述する水溶性有機溶剤を含有していてもよい。
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
米の粉砕物を有効成分として含有する寿命延長剤。
【請求項２】
米の抽出物を有効成分として含有する寿命延長剤。
【請求項３】
米の加水物を酵素分解または麹を作用させたものを有効成分として含有する寿命延長剤。
【請求項４】
米を抽出するに当たり、その抽出前、抽出と同時または抽出後に酵素分解または麹を作用させたものを有効成分として含有する寿命延長剤。
【請求項５】
米の抽出物あるいは酵素分解または麹を作用させたものに、アルコール発酵あるいは有機酸発酵を行ったものを有効成分として含有する寿命延長剤。
【請求項６】
生命体或いは個体、器官、臓器、組織、体液又は細胞などの寿命延長剤である、請求項１〜５のいずれか一項記載の寿命延長剤。
【請求項７】
細胞機能、細胞活性、細胞周期、遺伝子の機能を正常に調節する、若々しさを保持し老化を防止するための、請求項１〜５のいずれか一項記載の寿命延長剤。
【請求項８】
生命体或いは個体、器官、臓器、組織、体液又は細胞などの機能の向上又は改善、正常化、健全化、老化防止、若々しさ保持或いは若返りのための、請求項１〜５のいずれか一項記載の寿命延長剤。
【請求項９】
循環器系（心臓、血管、血液・造血器系）、免疫系（リンパ性組織・器官、脾臓、胸腺）、皮膚、皮膚付属器官、消化器系（口唇、扁桃、歯、食道、胃、小腸、大腸、肝臓、胆管系、脾臓）、呼吸器系（鼻、咽頭、喉頭、気管、肺）、泌尿器系（腎臓、尿路）、性殖系（男性生殖器、女性生殖器）、内分泌系（下垂体、松果体、甲状腺、副腎）、脳、神経系（末梢神経、中枢神経）、代謝系（糖、脂質、尿酸代謝）、平衡・聴覚器、視覚器、各粘膜系、運動器（骨、関節、筋肉、腱、靱帯）などの機能の向上又は改善、正常化、健全化、老化防止、若々しさ保持或いは若返りのための、請求項１〜５のいずれか一項記載の寿命延長剤。
【請求項１０】
生命体或いは個体、器官、臓器、組織、体液又は細胞などにおける疾患及び諸症状の予防、悪化防止、改善、治療のための、請求項１〜５のいずれか一項記載の寿命延長剤。
【請求項１１】
循環器系（心臓、血管、血液・造血器系）、免疫系（リンパ性組織・器官、脾臓、胸腺）、皮膚、皮膚付属器官、消化器系（口唇、扁桃、歯、食道、胃、小腸、大腸、肝臓、胆管系、脾臓）、呼吸器系（鼻、咽頭、喉頭、気管、肺）、泌尿器系（腎臓、尿路）、性殖系（男性生殖器、女性生殖器）、内分泌系（下垂体、松果体、甲状腺、副腎）、脳、神経系（末梢神経、中枢神経）、代謝系（糖、脂質、尿酸代謝）、平衡・聴覚器、視覚器、各粘膜系、運動器（骨、関節、筋肉、腱、靱帯）などにおける疾患及び諸症状の予防、悪化防止、改善、治療のための、請求項１〜５のいずれか一項記載の寿命延長剤。
【請求項１２】
表皮・真皮に起因する皮膚障害、細胞障害、ＤＮＡ障害、アトピー性皮膚炎、ドライスキンなどの乾燥性皮膚症状（アトピー皮膚、乾燥・ソゾウ化皮膚、老化皮膚、魚鱗癬、かさかさ肌、荒れ肌、皮脂欠乏症、乾皮症、乾燥性湿疹、進行性手掌角皮症、紅斑、硬化・角化、亀裂、鱗屑、紋理、痒み、掻瘢痕）、シミ、ソバカス、掻痒症、あせも、荒れ性、しもやけ、ひび、あかぎれ、皮膚老化症状（しわ、ハリ・弾力の低下、たるみ、シミ）、油性肌、ニキビ、色素異常症、紫外線による皮膚障害（シミ、ソバカス）、光炎症、くすみ、黒ずみ、物理・化学的皮膚障害（切り傷、火傷、床ずれ）、水、石けん、洗剤、界面活性剤、溶媒の使用により引き起こされる皮膚症状、皮膚外用剤などの医薬品の副作用、生物的皮膚障害（皮膚感染症）、水虫、皮膚炎、湿疹、創傷治癒、育毛、養毛、発毛、脱毛症の予防、悪化防止、改善、治療のための、請求項１〜５のいずれか一項記載の寿命延長剤。
【請求項１３】
シミ、ソバカス、老人性色素斑の予防、悪化防止、改善、治療のための、請求項１〜５のいずれか一項記載の寿命延長剤。
【請求項１４】
各種炎症、感染症、アレルギー、免疫機能障害、粘膜障害、細胞障害、ＤＮＡ障害、腫瘍、潰瘍、高脂血症、肥満、糖尿病、動脈硬化、痛風、血圧の健全化、改善（高血圧、低血圧）、ボケ、痴呆症、鼻炎、喘息、目の諸症状、風邪、血管障害、うちみ、肩こり、くじき、神経痛、腰痛、リウマチ、痔、疲労回復、産前産後の冷え症、口内炎、のどの炎症、痛み、咽頭炎、喉頭炎、扁桃炎、歯周炎、歯槽膿漏、歯肉炎、骨粗鬆症、滋養強壮、虚弱体質、肉体疲労、体力低下、塩害防止、ヘリコバクターピロリ生育阻止、ストレス、医薬品による副作用の予防、悪化防止、改善、治療のための、請求項１〜５のいずれか一項記載の寿命延長剤。
【請求項１５】
腫瘍の予防、悪化防止、改善、治療が、癌予防、悪化防止、進行抑制、転移防止、改善、治療である、請求項１〜５のいずれか一項記載の寿命延長剤。
【請求項１６】
性機能の向上、改善、正常化、健全化又は老化防止、若々しさ保持或いは若返りのための、請求項１〜５のいずれか一項記載の寿命延長剤。
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
樹脂材料を含む分散質が、分散媒中に微分散した分散液を用いて、主として樹脂材料で構成された樹脂粒子を製造する方法であって、
前記分散液をヘッド部より吐出することにより微粒子化し、固化部内を微粒子化された前記分散液を搬送させつつ、前記分散媒を除去し、複数個の微粒子が凝集した凝集体を得る分散媒除去工程と、
前記凝集体を構成する複数個の前記微粒子同士を溶融接合する接合工程とを有することを特徴とする樹脂粒子の製造方法。
【請求項２】
前記分散媒除去工程を、前記樹脂材料のガラス転移点以下の処理温度で行い、前記接合工程を、前記樹脂材料のガラス転移点以上の処理温度で行う請求項１に記載の樹脂粒子の製造方法。
【請求項３】
前記ヘッド部から吐出される分散液の温度は、前記分散媒除去工程における処理温度とほぼ同等または、前記処理温度より低いものである請求項１または２に記載の樹脂粒子の製造方法。
【請求項４】
前記接合工程を、前記樹脂材料のガラス転移点以上で、前記樹脂材料の融点以下の温度で行う請求項１ないし３のいずれかに記載の樹脂粒子の製造方法。
【請求項５】
圧電パルスにより、前記分散液を間欠的に吐出する請求項１ないし３のいずれかに記載の樹脂粒子の製造方法。
【請求項６】
前記接合工程における処理温度は、前記分散媒除去工程における処理温度よりも高い請求項１ないし５のいずれかに記載の樹脂粒子の製造方法。
【請求項７】
前記ヘッド部から吐出される前記分散液の平均粒径をＤｄ［μｍ］、前記分散液中における前記分散質の平均粒径をＤｍ［μｍ］としたとき、Ｄｍ／Ｄｄ＜０．５の関係を満足する請求項１ないし６のいずれかに記載の樹脂粒子の製造方法。
【請求項８】
前記分散液の吐出は、複数個の前記ヘッド部を用いて行うものであり、
互いに隣接する前記ヘッド部の間から気体を噴射しつつ、前記分散液を吐出する請求項１ないし７のいずれかに記載の樹脂粒子の製造方法。
【請求項９】
樹脂材料を含む分散質が、分散媒中に微分散した分散液を用いて製造された、主として樹脂材料で構成された樹脂粒子であって、
前記分散液をヘッド部より吐出することにより微粒子化し、固化部内を微粒子化された前記分散液を搬送させつつ、前記分散媒を除去し、複数個の微粒子が凝集した凝集体を得る分散媒除去工程と、
前記凝集体を構成する複数個の前記微粒子同士を溶融接合する接合工程と、により製造されたことを特徴とする樹脂粒子。
【請求項１０】
樹脂材料を含む分散質を分散させた分散液を吐出するヘッド部と、ヘッド部から吐出された前記分散液を前記樹脂材料のガラス転移点以下の処理温度に調整される分散媒除去部と、前記樹脂材料のガラス転移点以上の処理温度に調整される接合工程部と、を有することを特徴とする樹脂粒子の製造システム。
【請求項１１】
前記ヘッド部が圧電パルスにより前記分散液を間欠的に吐出するものである請求項１０に記載の樹脂粒子の製造システム。
【手続補正２】
【補正対象書類名】明細書
【補正対象項目名】発明の名称
【補正方法】変更
【補正の内容】
【発明の名称】樹脂粒子の製造方法、樹脂粒子および樹脂粒子の製造システム
【手続補正書】
【提出日】平成18年11月27日(2006.11.27)
【手続補正１】
【補正対象書類名】明細書
【補正対象項目名】００２７
【補正方法】変更
【補正の内容】
【００２７】
上記両側横棧１３の上面に支持壁１９を対向状に立設し、両支持壁１９間の一端側に駆動軸２０と他端側に従動軸２１を架設し、駆動軸２０の両端に駆動プーリ２２と従動軸２１の両端に従動プーリ２３を設け、前後に対応する駆動プーリ２２と従動プーリ２３の間にベルト状のエンドレス走行体１６をそれぞれ巻架し、上記駆動軸２０は、図３のように、横棧１３に固定したモータ２４とプーリ２５及び駆動ベルト２６を介して連動し、このモータ２４の起動により、両側エンドレス走行体１６が所定の方向に回動するようになっている。
【手続補正２】
【補正対象書類名】明細書
【補正対象項目名】００３１
【補正方法】変更
【補正の内容】
【００３１】
なお、図１のように、搬送せんとする基板Ａは、大型基板Ａ１から小型基板Ａ２まで幾つかのサイズがあり、これらの基板Ａを安定よく支持して搬送することができるよう、各載置部材固定軸１７に設ける基板載置部材１８の配置間隔を、小型基板Ａ２と中型基板を支持する配置にした載置部材固定軸１７と、小型基板Ａ２と大型基板Ａ１を支持する配置にした載置部材固定軸１７を交互に配置している。
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
防食剤が吸着した導電体層が形成された被処理物をラジカル雰囲気とイオン雰囲気とのいずれかに暴露する暴露工程と、
上記暴露工程により暴露された被処理物に形成された導電体層に所定の金属をめっきするめっき工程と
を備えたことを特徴とするめっき方法。
【請求項２】
上記暴露工程は、プラズマを形成することにより被処理物をラジカル雰囲気とイオン雰囲気とのいずれかに暴露することを特徴とする請求項１記載のめっき方法。
【請求項３】
防食剤が吸着した導電体層が形成された被処理物に紫外線を照射する照射工程と、
上記照射工程により照射された被処理物に形成された導電体層に所定の金属をめっきするめっき工程と
を備えたことを特徴とするめっき方法。
【請求項４】
防食剤が吸着した導電体層が形成された被処理物をオゾン雰囲気に暴露する暴露工程と、
上記暴露工程により暴露された被処理物に形成された導電体層に所定の金属をめっきするめっき工程と
を備えたことを特徴とするめっき方法。
【請求項５】
基板に形成された導電体層に所定の金属をめっきするめっき工程と、
上記めっき工程によりめっきされた所定の金属をラジカル雰囲気とイオン雰囲気とオゾン雰囲気とのいずれかに暴露する暴露工程と
を備えたことを特徴とする基板形成方法。
【請求項６】
上記暴露工程は、所定の金属を酸素ラジカル雰囲気と酸素イオン雰囲気と窒素ラジカル雰囲気と窒素イオン雰囲気と水素ラジカル雰囲気と水素イオン雰囲気とのいずれかに暴露することを特徴とする請求項５記載の基板形成方法。
【請求項７】
導電体により形成された配線層と、
上記配線層上に形成された所定の金属による第１の膜と、
上記第１の膜上に形成された、上記所定の金属の酸化物膜と、上記所定の金属の窒化物膜と、上記所定の金属の水酸化物濃度が１５ａｔｍ％未満である上記所定の金属層とのうちのいずれかの第２の膜と
を備えたことを特徴とする基板。
【請求項８】
導電体により形成された配線層と、
上記配線層上に形成された所定の金属による第１の膜とを備え、
第１の膜の水酸化物濃度が１５ａｔｍ％未満であることを特徴とする基板。
【請求項９】
上記配線層は、導電体としてＣｕ（銅）を用い、
上記第１の膜は、所定の金属としてＣｏ（コバルト）を用いることを特徴とする請求項７又は８記載の基板。
【請求項１０】
上記配線層は導電体としてＣｕを用い、上記第１の膜は非晶質相を含有することを特徴とする請求項７又は８記載の基板。
【請求項１１】
絶縁膜と前記絶縁膜の溝内に形成された導体層とを有し、前記絶縁膜が基板上に設けられるようにした前記基板を準備する工程と、
前記導体層の表面を防食処理する工程と、
前記防食処理によって防食剤が吸着した前記導体層の表面と前記絶縁膜の表面とを、ラジカル雰囲気とイオン雰囲気とのいずれかに暴露する暴露工程と、
前記暴露工程により暴露された前記導体層上に所定の金属をめっきするめっき工程とを備えたことを特徴とするめっき方法。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
分解性のある連結基を介して対称な、２個の発色団を有する分子構造を有する水溶性２量体色材と、該水溶性２量体色材中の上記連結基の分解によって得られる分子構造と同じ構造を有する水溶性１量体色材と、上記水溶性２量体色材の分解を抑制する、常温において液体であって且つ炭素数５未満のトリオール化合物である第１水溶性有機溶媒と、を含有してなり、上記水溶性１量体色材のインク中における質量が、上記水溶性２量体色材の質量に対して１％以上１２％以下であることを特徴とする水系インク。
【請求項２】
更に、常温において液体であって且つ炭素数５以上のトリオール化合物である第２水溶性有機溶媒を含有してなる請求項１に記載の水系インク。
【請求項３】
更に、ジエチレングリコール、トリエチレングリコール、及びテトラエチレングリコールを含有してなる請求項１又は２に記載の水系インク。
【請求項４】
時系列的に、分解、変化することによって前記水溶性２量体色材と、前記水溶性１量体色材とを塩析させる物質が含まれていない請求項１〜３のいずれか１項に記載の水系インク。
【請求項５】
前記連結基が、尿素結合である請求項１〜４のいずれか１項に記載の水系インク。
【請求項６】
前記水溶性２量体色材が、Ｃ．Ｉ．ダイレクトイエロー１３２である請求項１〜５のいずれか１項に記載の水系インク。
【請求項７】
インク中における前記第１水溶性有機溶媒の含有量が、３質量％以上８質量％以下である請求項１〜６のいずれか１項に記載の水系インク。
【請求項８】
請求項１〜７のいずれか１項に記載の水系インクが収納されていることを特徴とするインクタンク。
【請求項９】
更に、大気に曝されるインク供給部又はインク供給路を有するインクジェット記録装置に使用される請求項８に記載のインクタンク。
【請求項１０】
インクを記録信号に応じてオリフィスから吐出させて記録媒体に記録を行うインクジェット記録方法において、上記インクが請求項１〜７のいずれか１項に記載の水系インクであることを特徴とするインクジェット記録方法。
【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  金型のキャビティー面を構成する凸部内に入り込む局所冷却通路と、
該局所冷却通路内に配設され先端部にて局所冷却通路と連通する筒状の冷却水供給パイプと、
前記局所冷却通路と冷却水供給パイプの間に配設されるスリーブと、
該スリーブに配設された断熱機構と、
を備える金型の局所冷却構造。
【請求項２】  前記スリーブと冷却水供給パイプの間には冷却水を排出するための排出通路が形成されていることを特徴とする、請求項１の金型の局所冷却構造。
【請求項３】  前記断熱機構は、前記スリーブと局所冷却通路の間に配設される断熱材であることを特徴とする、請求項１の金型の局所冷却構造。
【請求項４】  前記断熱材は、断熱材料を前記スリーブ外周面に被覆して構成されることを特徴とする、請求項３の金型の局所冷却構造。
【請求項５】  前記断熱機構は、冷却水が流通不能な空気の層であることを特徴とする請求項１の金型の局所冷却構造。
【請求項６】  金型のキャビティー面を構成する凸部に入り込む局所冷却通路と、
該局所冷却通路内に配設され先端部にて前記局所冷却通路と連通し、内部に冷却水が流れて前記凸部内に対して先端部から噴出する筒状の冷却水供給パイプと、
前記局所冷却通路と冷却水供給パイプの間に配設され、最端部の外周面が前記局所冷却通路の内周面に接しているスリーブと、
を備える金型の局所冷却構造。
【請求項７】  前記スリーブの前記最端部以外の側面には断熱材が巻き付けてあることを特徴とする、請求項６の金型の局所冷却構造。
【手続補正２】
【補正対象書類名】明細書
【補正対象項目名】０００８
【補正方法】変更
【補正の内容】
【０００８】
【課題を解決するための手段】
上記課題を解決するために請求項１の発明は、金型のキャビティー面を構成する
凸部内に入り込む局所冷却通路と、該局所冷却通路内に配設され先端部にて局所
冷却通路と連通する筒状の冷却水供給パイプと前記局所冷却通路と冷却水供給パ
イプの間に配設されるスリーブと、該スリーブに配設された断熱機構と、を備える
金型の局所冷却構造としたことである。
【手続補正３】
【補正対象書類名】明細書
【補正対象項目名】０００９
【補正方法】変更
【補正の内容】
【０００９】
請求項１の発明によれば、冷却水供給パイプから噴出された冷却水は、先ず冷却水供給パイプの先端付近で局所冷却通路を冷却する。局所冷却通路の先端部以外はスリーブによって冷却水が接しない構造であるので、冷却水は局所冷却通路の先端部分のみを急速に冷却することができ、素材の収縮率を略均一にすることが可能になる。また、断熱機構によって、局所冷却通路の先端以外は冷却水の冷却による影響が可及的に少なくなり、金型の凸部以外は冷却されず、粗材の収縮の不均一をなくすのに有効である。断熱機構は、具体的には断熱材や、冷却水が流通不能な空気の層とすることが考えられる。断熱材を用いる場合には、断熱材料をスリーブ外周面に被覆して構成することができる。
この構成により、金型のキャビティー面の凸部が小さく複雑な形状であっても、粗材のヒケ割れをなくすことが可能となる。また、局所冷却通路内にスリーブと断熱機構を配設するだけの簡単な構成であるため、コストが高くなることもない。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
次に、請求項６の発明は、金型のキャビティー面を構成する凸部に入り込む局所冷却通路と、該局所冷却通路内に配設され先端部にて前記局所冷却通路と連通し、内部に冷却水が流れて凸部内に冷却水が先端部から噴出する筒状の冷却水供給パイプと、前記局所冷却通路と冷却水供給パイプの間に配設され、最端部の外周面が前記局所冷却通路の内周面に接しているスリーブを備える金型の局所冷却構造としたことである。
この構成とすることで、局所冷却通路の先端部以外の側面の内周面に冷却水が流通することを抑制することができる。したがって、急速に冷却したい箇所は確実に冷却し、冷却が不要な箇所については熱伝導による穏やかな冷却制御が可能であり、局所冷却によって粗材の収縮が不均一になることがなくなる。
より好ましくは、スリーブの最端部以外の側面には断熱材を巻き付けるようにすることである。このようにすることにより断熱機構を容易且つ低コストに備えることができる。そして、急速に冷却したい箇所は確実に冷却し、冷却が不要な箇所については熱伝導による穏やかな冷却制御が可能であり、局所冷却によって粗材の収縮が不均一になることがなくなる。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
サーバ装置と通信網を介して接続され，無線通信可能なＩＣチップを備えた携帯端末装置であって：
パラメータ情報と前記パラメータ情報に基づいて実行されるアプリケーションの識別情報を含む送信電文を受信するために前記ＩＣチップに設けられた送信電文受信部を備えており，
さらに，前記送信電文に含まれるアプリケーションの識別情報に対応するアプリケーションが存在するか否かを判定するアプリケーション判定部と；
前記アプリケーション判定部によりアプリケーションが存在しないと判定された場合に，対応するアプリケーションの送信要求を生成する送信要求生成部と；
前記サーバ装置から送信されるアプリケーションを受信して格納するアプリケーション格納部と；
を備えることを特徴とする，携帯端末装置。
【請求項２】
前記送信電文に含まれるパラメータ情報に基づいて実行されたアプリケーションの実行結果を表示する表示部を備えることを特徴とする，請求項１に記載の携帯端末装置。
【請求項３】
所定のアプリケーションの実行を制御するコントローラを備え，
前記コントローラは，前記送信電文に含まれるパラメータ情報に基づいて，アプリケーションの識別情報に対応するアプリケーションを実行させることを特徴とする，請求項１に記載の携帯端末装置。
【請求項４】
前記ＩＣチップは，
前記サーバ装置と通信網を介して接続された外部の通信装置との間で近距離の非接触通信を行う第１通信部と；
前記コントローラとの間で通信を行う第２通信部と；
を備え，
前記第１通信部を介して前記外部の通信装置から前記送信電文を受信し，前記第２通信部を介して前記送信電文を前記コントローラに送信することを特徴とする，請求項３に記載の携帯端末装置。
【請求項５】
前記送信電文には，前記携帯端末装置の仕様に応じた複数のアプリケーションの識別情報が含まれており，
前記アプリケーション判定部は，前記複数のアプリケーションの識別情報によりアプリケーションが存在するか否かを判定することを特徴とする，請求項１に記載の携帯端末装置。
【請求項６】
無線通信可能なＩＣチップを備えた携帯端末装置と通信網を介して接続されたサーバ装置であって：
パラメータ情報と前記パラメータ情報に基づいて実行されるアプリケーションの識別情報を含む送信電文を生成する送信電文生成部と；
前記携帯端末装置の要求に応じて，前記送信電文を送信する送信電文送信部と；
前記携帯端末装置に前記パラメータ情報に基づいて実行されるアプリケーションが存在しなかった場合に，前記携帯端末装置からのアプリケーション送信要求を受け付ける送信要求受付部と；
前記アプリケーションの識別情報とアプリケーションを関連付けて記憶するアプリケーション記憶部と；
前記携帯端末装置の要求に応じたアプリケーションを前記携帯端末装置に送信するアプリケーション送信部と；
を備えることを特徴とする，サーバ装置。
【請求項７】
前記アプリケーション送信部は，
前記携帯端末装置の要求に応じたアプリケーションを前記アプリケーション記憶部から取得して送信することを特徴とする，請求項６に記載のサーバ装置。
【請求項８】
前記送信電文生成部は，
前記携帯端末装置の仕様に応じた複数のアプリケーションの識別情報を含む送信電文を生成することを特徴とする，請求項６に記載のサーバ装置。
【請求項９】
無線通信可能なＩＣチップを備えた携帯端末装置と，前記携帯端末装置と通信網を介して接続されたサーバ装置と，を用いて実現されたアプリケーション提供方法であって：
前記ＩＣチップが，
パラメータ情報と前記パラメータ情報に基づいて実行されるアプリケーションの識別情報を含む送信電文を受信するステップと；
前記携帯端末装置が，
前記送信電文に含まれるアプリケーションの識別情報に対応するアプリケーションが存在するか否かを判定するステップと；
前記アプリケーション判定部によりアプリケーションが存在しないと判定された場合に，対応するアプリケーションの送信要求を生成して前記サーバ装置に送信するステップと；
前記サーバ装置から送信されるアプリケーションを受信して格納するステップと；
を含むことを特徴とする，アプリケーション提供方法。
【請求項１０】
サーバ装置と通信網を介して接続され，無線通信可能なＩＣチップを備えた携帯端末装置をして，
パラメータ情報と前記パラメータ情報に基づいて実行されるアプリケーションの識別情報を含む送信電文を受信する処理と；
前記送信電文に含まれるアプリケーションの識別情報に対応するアプリケーションが存在するか否かを判定する処理と；
前記アプリケーションが存在しないと判定された場合に，対応するアプリケーションの送信要求を生成する処理と；
前記サーバ装置から送信されるアプリケーションを受信して格納する処理と；
を実行せしめることを特徴とする，コンピュータプログラム。
【請求項１１】
無線通信可能なＩＣチップを備えた携帯端末装置と通信網を介して接続されたサーバ装置をして，
パラメータ情報と前記パラメータ情報に基づいて実行されるアプリケーションの識別情報を含む送信電文を生成する処理と；
前記携帯端末装置の要求に応じて，前記送信電文を送信する処理と；
前記携帯端末装置に前記パラメータ情報に基づいて実行されるアプリケーションが存在しなかった場合に，前記携帯端末装置からのアプリケーション送信要求を受け付ける処理と；
前記携帯端末装置の要求に応じたアプリケーションを前記携帯端末装置に送信する処理と；
を実行せしめることを特徴とする，コンピュータプログラム。
【手続補正２】
【補正対象書類名】明細書
【補正対象項目名】発明の名称
【補正方法】変更
【補正の内容】
【発明の名称】携帯端末装置，サーバ装置，アプリケーション提供方法およびコンピュータプログラム
【手続補正３】
【補正対象書類名】明細書
【補正対象項目名】０００１
【補正方法】変更
【補正の内容】
【０００１】
本発明は，携帯端末装置，サーバ装置，アプリケーション提供方法に関し，特に，サーバ装置から送信されたアプリケーションを識別する情報に対応するアプリケーションが携帯端末装置に存在しなかった場合に，対応するアプリケーションを自動的にダウンロードするアプリケーション提供システムに関する。
【手続補正４】
【補正対象書類名】明細書
【補正対象項目名】００２５
【補正方法】変更
【補正の内容】
【００２５】
以上説明したように本発明によれば，指定されたアプリケーションの存在可否を判断して，ユーザが所望の情報をスムーズに取得可能な，携帯端末装置，サーバ装置，アプリケーション提供方法およびコンピュータプログラムを提供することができる。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
操作部から入力される入力信号に基づいて、ゲームキャラクタをゲームフィールド内で動作させ、その様子を表示手段に出力する制御手段を有するゲーム装置を動作させるためのゲームプログラムにおいて、
前記ゲーム装置の制御手段に、
遊戯者が前記操作部から入力する操作信号に基づいて動作するプレイヤーキャラクタと、該ゲームプログラムが有する所定の動作アルゴリズムに基づいて動作するパートナーキャラクタとを設定する手順、
前記操作部から第１の入力信号が入力されたか否かを判定する手順、
前記第１の入力信号が入力されたと判定されたとき、前記パートナーキャラクタのゲームフィールド上における現在位置を基準とする所定範囲内に前記プレイヤーキャラクタの移動可能な範囲を制限する手順
を実行させるためのゲームプログラム。
【請求項２】
請求項１記載のゲームプログラムにおいて、
前記ゲーム装置の制御手段に、
前記操作部から前記第１の入力信号が入力された後、更に第２の入力信号が入力されたか否かを判定する手順、
前記第２の入力信号が入力されたと判定されたとき、前記プレイヤーキャラクタと前記パートナーキャラクタとの位置関係と、前記第２の入力信号に応じて定められた所定の協力行動の種類とに基づいて、前記協力行動の効果範囲を決定する手順、
前記決定された効果範囲内に対して前記協力行動を実行する手順
を更に実行させるためのゲームプログラム。
【請求項３】
請求項１又は２記載のゲームプログラムにおいて、
前記ゲーム装置の制御手段に、
前記第１の入力信号が入力されたと判定されたとき、前記プレイヤーキャラクタと前記パートナーキャラクタとの位置関係と、前記プレイヤーキャラクタまたは前記パートナーキャラクタのいずれか或いはその組み合わせに応じて定められた所定の協力行動の種類とに基づいて、前記協力行動の効果範囲又は前記協力行動の発生する発生基点となる位置を決定する手順、
前記協力行動の効果範囲又は発生基点に、前記協力行動の種類と、前記効果範囲又は発生基点を示す画像を表示する手順
を更に実行させるためのゲームプログラム。
【請求項４】
請求項１乃至３のいずれか１項に記載のゲームプログラムにおいて、
前記ゲーム装置の制御手段に、
前記第１の入力信号が入力されたと判定されたとき、前記パートナーキャラクタの位置を前記第１の入力信号が入力された時点での位置で停止させる手順
を更に実行させるためのゲームプログラム。
【請求項５】
請求項１乃至３のいずれか１項に記載のゲームプログラムにおいて、
前記ゲーム装置の制御手段に、
前記第１の入力信号が入力されたと判定されたとき、前記パートナーキャラクタの位置を前記第１の入力信号が入力された時点での位置で停止させると共に、前記パートナーキャラクタに対して設定されている待機時特殊行動の情報に基づいて特殊行動を実行する手順
を更に実行させるためのゲームプログラム。
【請求項６】
第１の操作部及び第２の操作部から入力される入力信号に基づいて、ゲームキャラクタをゲームフィールド内で動作させ、その様子を表示手段に出力する制御手段を有するゲーム装置を動作させるためのゲームプログラムにおいて、
前記ゲーム装置の制御手段に、
第１の遊戯者が前記第１の操作部から入力する操作信号に基づいて動作する第１のプレイヤーキャラクタと、第２の遊戯者が前記第２の操作部から入力する操作信号に基づいて動作する第２のプレイヤーキャラクタとを設定する手順、
前記第１の操作部から第１の入力信号が入力されたか否かを判定する手順、
前記第２の操作部から第２の入力信号が入力されたか否かを判定する手順、
前記第２の操作部から前記第２の入力信号が入力され、前記第１の操作部から前記第１の入力信号が入力されたと判定されたとき、前記第１のプレイヤーキャラクタと前記第２のプレイヤーキャラクタとの位置関係と、前記第２の操作部から入力された前記第２の入力信号に応じて定められた所定の協力行動の種類とに基づいて、前記協力行動の効果範囲を決定する手順、
前記決定された効果範囲内に対して前記協力行動を実行する手順
を実行させるためのゲームプログラム。
【請求項７】
請求項６記載のゲームプログラムにおいて、
前記ゲーム装置の制御手段に、
前記第２の操作部から前記第２の入力信号が入力されたと判定されたとき、前記第１のプレイヤーキャラクタと前記第２のプレイヤーキャラクタとの位置関係と、前記第１のプレイヤーキャラクタ又は前記第２のプレイヤーキャラクタのいずれか或いはその組み合わせに応じて定められた所定の協力行動の種類とに基づいて、前記協力行動の効果範囲又は前記協力行動の発生する発生基点となる位置を決定する手順、
前記協力行動の効果範囲又は発生基点に、前記協力行動の種類と、前記効果範囲又は発生基点を示す画像を表示する手順
を更に実行させるためのゲームプログラム。
【請求項８】
請求項６又は７記載のゲームプログラムにおいて、
前記協力行動の効果範囲を決定する手順は、
前記第２の操作部から前記第２の入力信号が入力された後に、前記第１の操作部から前記第１の入力信号が入力されたと判定されたときに行われる
ことを特徴とするゲームプログラム。
【請求項９】
請求項６乃至８のいずれか１項に記載のゲームプログラムにおいて、
前記ゲーム装置の制御手段に、
前記第２の操作部から前記第２の入力信号が入力されたと判定されたとき、前記第２のプレイヤーキャラクタの位置を前記第２の入力信号が入力された時点での位置で停止させる手順
を更に実行させるためのゲームプログラム。
【請求項１０】
請求項６乃至８のいずれか１項に記載のゲームプログラムにおいて、
前記ゲーム装置の制御手段に、
前記第２の操作部から前記第２の入力信号が入力されたと判定されたとき、前記第２のプレイヤーキャラクタの位置を前記第２の入力信号が入力された時点での位置で停止させると共に、前記第２のプレイヤーキャラクタに対して設定されている待機時特殊行動の情報に基づいて特殊行動を実行する手順
を更に実行させるためのゲームプログラム。
【請求項１１】
請求項１乃至１０のいずれか１項に記載のゲームプログラムを記録したコンピュータ読み取り可能な記憶媒体。